(57)【特許請求の範囲】
【請求項１】
サブラックに接続されるプラグインユニットに搭載され、且つ、プラグインスティックを収容するプラグインスティック収容装置であって、
複数の平行に並ぶ第１の凹形状のガイドを有する第１の部材と、
それぞれが前記複数の平行に並ぶ第１の凹形状のガイドのそれぞれに対向する位置に空間を隔てて配置される複数の平行に並ぶ第２の凹形状のガイドを有する第２の部材と、
それぞれが前記第１の凹形状のガイドと前記第２の凹形状のガイドの間に収容された前記プラグインスティックの先端と嵌合する複数のコネクタハウジングと、を有し、
前記第１の部材と前記コネクタハウジングとは、前記プラグインユニットに取り付けられ、前記第２の部材は、前記プラグインユニットから離間して設けられることを特徴とするプラグインスティック収容装置。
【請求項２】
請求項１に記載のプラグインスティック収容装置において、
前記第１の凹形状のガイドの幅が前記第２の凹形状のガイドの幅と異なることを特徴とするプラグインスティック収容装置。
【発明の詳細な説明】
【０００１】
【発明の属する技術分野】
本発明は、プラグインスティックを収容するためのプラグインスティック収容装置に関する。
【０００２】
【従来の技術】
本発明が関するガイド構造では、図１におけるＹ方向にプラグインスティックを複数並べて実装することが重要な要素の一つとなっている。
【０００３】
この目的のために、通常プラグインスティックが相互に隣接する境界にガイドレールや仕切り板を設けるという手法が採用されている。
【０００４】
【発明が解決しようとする課題】
しかしながら、この手法では、プラグインスティックの間にガイドレールや仕切り板のためのスペースが必要となり、Ｚ方向のプラグインスティックの実装効率が減少する。また、プラグインスティックの実装スロット毎にガイドレールや仕切りが必要となり部品点数が増大し、また、プラグインスティックのｎ倍の大きさのプラグインスティックを挿入可能なマルチスロットガイド機構の実現が不可能である。
【０００５】
本発明は上記の問題点に鑑みてなされたものであり、プラグインスティックの実装効率が減少しないことを可能とするプラグインスティック及びマルチスロットガイド構造を提供することを目的とする。
【０００６】
また、本発明は、部品点数を抑えることを可能とするプラグインスティック及びマルチスロットガイド構造を提供することを目的とする。
【０００７】
更に、本発明は、基本単位の自然数倍の大きさのプラグインスティックをマルチスロットガイド構造に挿入することを可能とするプラグインスティック及びマルチスロットガイド構造を提供することを目的とする。
【００１３】
【課題を解決するための手段】
本発明によれば、サブラックに接続されるプラグインユニットに搭載され、且つ、プラグインスティックを収容するプラグインスティック収容装置であって、複数の平行に並ぶ第１の凹形状のガイドを有する第１の部材と、それぞれが前記複数の平行に並ぶ第１の凹形状のガイドのそれぞれに対向する位置に空間を隔てて配置される複数の平行に並ぶ第２の凹形状のガイドを有する第２の部材と、それぞれが前記第１の凹形状のガイドと前記第２の凹形状のガイドの間に収容された前記プラグインスティックの先端と嵌合する複数のコネクタハウジングと、を有し、前記第１の部材と前記コネクタハウジングとは、前記プラグインユニットに取り付けられ、前記第２の部材は、前記プラグインユニットから離間して設けられることを特徴とするプラグインスティック収容装置が提供される。
【００１４】
上記のプラグインスティック収容装置において、前記第１の凹形状のガイドの幅が前記第２の凹形状のガイドの幅と異なっていてもよい。
【００１６】
【発明の実施の形態】
本発明の特徴は、プラグインユニット２の前面にプラグインスティック１、５を複数実装するためのガイド構造に関し、図１におけるＹ方向に複数のプラグインスティック１、５を高密度に並べて実装するためのものである。
【００１７】
プラグインスティック１をプラグインユニット２前面から所定の位置に挿入させるという構成に対し、本発明に従って、図２のようにプラグインスティック１のＸＹ平面に凸形状ガイド６、８を、プラグインユニット２には図３のようにプラグインスティック１の凸形状に対応した凹形状ガイド１１、１２を、プラグインスティック１を挿入する位置に設けている。
【００１８】
プラグインスティック１及びプラグインユニット２の凹形状ガイド１３に設けられた凹凸形状は、プラグインスティック１に実装されるコネクタソケット３をプラグインユニット２内部に実装されるコネクタハウジング４に確実に嵌合させる位置に呼び込むためのガイド機能の役目を果たす。
【００１９】
従って、プラグインスティック１の挿入位置はプラグインユニット２に設けられた凹形状１１、１２のガイドの位置にのみ依存するため、図１のようにプラグインスティック１を複数（図１の例では、プラグインスティック１が３つ隣接して並び、それらから離間してプラグインスティック５が配されている。）挿入する場合には、プラグインスティック１の間には各々のプラグインスティック１が干渉しないための適当な間隙があれば良く、特に仕切るための部品が不要である。またプラグインユニット２に設けられるガイドについては、プラグインスティック１を挿入する位置に凹形状のガイド１１、１２を設けるだけで良い簡易な構造であり、実装密度が高く、簡易な構造を実現できるという効果が得られる。また、各プラグインスティック１の間に仕切りが存在しないため、複数のスロットを占有するような大容量型プラグインスティック５の挿入も可能とする。
【００２０】
また、図２に示すように凸形状ガイドの幅は左右でＨ２、Ｈ３と異なる寸法になっており、凹型ガイドも対応してＨ２’、Ｈ３’と異なる寸法になっている。このことにより、プラグインスティック１を１８０°反転させて挿入してもお互いのガイドが干渉して挿入することが不可能な構造としている。
【００２１】
図１に、本発明の一実施形態として通信機器におけるプラグインユニット２の実装構成が示されている。通信機器の実装構成はプラグインユニット２を複数実装するサブラック、プラグインユニット２、プラグインユニットの前面に実装されるプラグインスティック１により構成され、サブラックとプラグインユニット２、プラグインユニット２とプラグインスティック１は電気コネクタ等によりそれぞれ相互に電気的接続されている。
【００２２】
図２にプラグインスティックの構成図を示す。プラグインスティック１は、電子部品及び電気コネクタソケット３を搭載し、電子回路を形成するプリントサーキットボード（以下ＰＣＢ）、プラグインスティックの右側の凸型ガイド６を有するベース金具７、及び左側の凸型ガイド８を有するカバー金具９により構成され、ＰＣＢ１０はベース金具７に支持固定され、カバー金具９はＰＣＢ１０に覆い被さりベース金具７にＰＣＢ１０を押さえつけるような位置にラッチ等によりベース金具７に固定される。
【００２３】
ＰＣＢ１０をベース金具７及びカバー９金具の内部に収容することにより、ＰＣＢ１０上に実装される部品はベース金具７やカバー金具９と適当な間隙を保つことができればどのような部品でも実装が可能であり、プラグインスティック１として形成することが可能である。
【００２４】
図３のプラグインスティックを挿入する凹形状ガイド構成が示すように、プラグインユニット２には複数のプラグインスティック１を挿入するための凹形状を複数有するガイド１３が実装される。プラグインスティック１を複数挿入した場合、ガイド構造をプラグインスティックが並ぶ方向とプラグインスティックが挿入される方向に垂直な方向に並べて設けているためプラグインスティック１相互の間には仕切りが不要となる。従って通常図３のようなプラグインスティック１を４個挿入するスロットに、４個分の大きさの大容量型プラグインスティック１３に凸形状ガイドを設けたものを図４のように挿入することが可能なマルスロットガイド構造の実現が可能となる。
【００２５】
【発明の効果】
以上説明したように、本発明によれば、プラグインスティックを隣接させて並べることができるので、プラグインスティックの実装効率が減少しないことが可能となる。
【００２６】
また、本発明によれば、ガイドレールや仕切り板が不要となるので、部品点数を抑えることが可能となる。
【００２７】
更に、本発明によれば、仕切り板が無いので、基本単位の自然数倍の大きさのプラグインスティックをマルチスロットガイド構造に挿入することが可能となる。
【図面の簡単な説明】
【図１】本発明の実施形態によるプラグインスティック及びマルチスロットガイド構造を有するプラグインユニットの構造を示す平面図である。
【図２】本発明の実施形態によるプラグインスティックの構造を示す断面図である。
【図３】本発明の実施形態によるマルチスロットガイド構造を示す断面図である。
【図４】本発明の実施形態による基本単位の４倍の大きさを有するプラグインスロットスティックをマルチスロットガイド構造に挿入した時の状態を示す断面図である。
【符号の説明】
１  プラグインスティック
２  プラグインユニット
３  コネクタソケット
４  コネクタハウジング
５  大容量プラグインスティック
６  右側凸形状ガイド
７  ベース金具
８  左側凸形状ガイド
９  カバー金具
１１  右側凹形状ガイド
１２  左側凹形状ガイド
１３  凹形状ガイド
【図１】
0004056228.tif 000002
【図２】
0004056228.tif 000003
【図３】
0004056228.tif 000004
【図４】
0004056228.tif 000005